(57)【特許請求の範囲】
【請求項１】
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は遷移部分および戻り止めを有し、
上記ロック機構は突起および変形可能アームを有し、
上記突起は、上記ウエイトリテーナが上記ゴルフクラブヘッドにロックされるときに上記戻り止めにあるように構成され、
上記変形可能アームは、上記突起が上記係合機構の上記遷移部分に乗り上げるときに、変形するように構成され、上記変形可能アームは上記突起を上記戻り止めに押圧することを特徴とするゴルフクラブヘッド。
【請求項２】
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は突起を有し、
上記ロック機構は遷移部分および戻り止めを有し、
上記突起は、上記ウエイトリテーナが上記ゴルフクラブヘッドにロックされるときに上記戻り止めにあるように構成され、
上記係合機構はさらに変形可能アームを有し、上記変形可能アームは、上記突起が上記ロック機構の上記遷移部分に沿って滑るときに変形するように構成され、上記変形可能アームは上記突起を上記戻り止めの中へと押圧することを特徴とするゴルフクラブヘッド。
【請求項３】
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は戻り止めを有し、
上記ロック機構は突起および遷移部分を有し、
上記突起は、上記ウエイトリテーナが上記ゴルフクラブヘッドにロックされるときに上記戻り止めにあるように構成され、
上記ウエイトマウントは天井部を有し、上記天井部は、上記ゴルフクラブヘッドの外側表面と実質的に面一であり、上記天井部は上記ウエイトリテーナをロック解除位置で受け取るように構成されている開口を有することを特徴とするゴルフクラブヘッド。
【発明の詳細な説明】
【技術分野】
【０００１】
この技術は、全般的には、ゴルフクラブに関連するシステム、装置、および方法に関し、より具体的には取り外し可能なウエイトを具備するゴルフクラブに関する。
【背景技術】
【０００２】
ゴルフコースを長くして難しいものにする傾向が続き、多くの割合のアマチュアゴルファがそのゴルフショットでより長い距離を実現する方法を継続的に探索してきた。ゴルフ業界は、距離および正確性を念頭において特別に設計されたゴルフクラブを提供することによりこれに答えてきた。ウッドタイプのゴルフクラブの寸法は、一般的には大きくなってきており、他方で、多材料構造および壁厚さの減少によって、ヘッドを通じた選択的な位置を実現するためにより多くの重量を利用できるようになってきた。裁量的な重量の配置によって、クラブはより大きな慣性モーメント（ＭＯＩ）を持つことが可能となり、これによって、中心から離れたボール衝撃時の捩れに抗し、中心から離れたボール衝撃に起因する距離の減少をより少なくできる。さらに、裁量的な重量配置によって、クラブにおいてゴルフクラブヘッドの重心（ＣＧ）をより最適に位置づけることができるようになり、しばしば、そのＣＧ位置調整が調整可能および／または移動可能なウエイトの仕様を通じて行えるようになった。
【０００３】
種々の方法を用いてゴルフクラブヘッドに渡って重量を選択的に位置決めでき、これは本体キャスティング自体の部分を厚くしたり、または戦略的に個別のウエイト部品をゴルフクラブヘッドの製造中に付加することを含む。１例は米国特許第７，１８６，１９０号に示され、これは、ゴルフクラブヘッドの本体に取り付けられる多数の移動可能なウエイトを有するゴルフクラブヘッドを開示する。このクラブヘッドは、多数のネジ切りポートを含み、これらに移動可能なウエイトがねじ込まれる。ゴルフクラブの質量の特性は可動ウエイトを再配置することにより走査可能であるけれども、ゴルフクラブ本体の内部のウエイトおよび収容機構の円筒形状によって、質量のかなりの部分はクラブヘッドの中心へと必然的に移動して、クラブヘッドの周囲重量、またはＭＯＩを最大化させないであろう。
【０００４】
クラブヘッド内における質量の選択的な位置決めの代替的なアプローチは、複合多材料構造を採用することである。これら複合多材料構造は、異なる密度を含む異なる物理特性を有する、２、３、またはそれ以上の材料を採用する。このタイプの複合クラブヘッドの例は米国特許第５，７２０，６７４号に示される。このクラブヘッドは、後方スカートの引っ込み部に結合された高密度材料からなる弧状部分を有する。クラブヘッド中に見られるような複合材料は一緒に結合されなければならず、例えば、溶接、カシメ、エポキシ等の接着剤によって結合しなければならないので、常時、層分離や腐食にさらされ易い。この層分離や腐食により、ゴルフクラブヘッドの性能が劣化し、また故障することにもつながる。
【０００５】
ゴルフクラブヘッドの質量を最適化する方法が多くあるけれども、固着締め付け具を具備し、容易かつ迅速に取り付けることができる少なくとも１つのウエイトを有するゴルフクラブヘッドに対する要請が依然としてこの業界に存在する。
【先行技術文献】
【特許文献】
【０００６】
【特許文献１】米国特許第７，１８６，１９０号
【特許文献２】米国特許第５，７２０，６７４号
【発明の開示】
【０００７】
ここで説明されるシステム、方法、および装置は、複数の創作的な側面を有し、そのいずれの１つもそれらの所望の属性に対して不可欠でもなく、また、その要因をなすものでもない。ここで、有益な特徴のいくつかについて、特許請求の範囲を限定することなく、以下にまとめて示す。
【０００８】
この技術は少なくとも１つの取り外し可能なウエイト部材を具備するゴルフクラブヘッドに向けられている。取り外し可能なウエイト部材は、好ましくは、ゴルフクラブヘッドに対するウエイトリテーナの１回の全回転より少ない回転でゴルフクラブヘッドにしっかりと取り付けられる。
【０００９】
この技術の１つの非制約的な実施例はゴルフクラブヘッドを含み、このゴルフクラブヘッドは、ホーゼルと；打撃フェースと；上記ボール打撃フェースの下側縁から後方に伸びるソールと；上記ボール打撃フェースの上側縁から後方に伸びるクラウンと；上記ソールおよび上記クラウンの間で伸びるスカートと；上記ソール、上記クラウン、および上記スカートの少なくとも１つの上に配された複数のウエイトマウントと；上記ウエイトマウントに係合するように構成された１つのウエイトリテーナとを有し；上記複数のウエイトマウントの各々はロック機構を有し；上記ウエイトリテーナは上記ロック機構と係合するように構成された係合機構を有し；上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され；上記係合機構は遷移部分および戻り止めを有し；上記ロック機構は突起および変形可能アームを有し、；上記突起は、上記ウエイトリテーナが上記ゴルフクラブヘッドにロックされるときに上記戻り止めにあるように構成される。
【００１０】
この技術の付加的な非制約的な実施例において、上記係合機構はランプを有する。
【００１１】
この技術の付加的な非制約的な実施例において、上記変形可能アームは、上記突起が上記係合機構の上記遷移部分に乗り上げるときに、変形するように構成され、上記変形可能アームは上記突起を上記戻り止めに押圧する。
【００１２】
この技術の付加的な非制約的な実施例において、上記ウエイトマウントは上記ゴルフクラブヘッドの外側表面と実質的に面一である。
【００１３】
この技術の付加的な非制約的な実施例において、上記ウエイトマウントは上記ロック機構を含み、実質的に厚さが均一である。
【００１４】
この技術の付加的な非制約的な実施例において、上記ウエイトリテーナは永久的にウエイト部材に固着されている。
【００１５】
この技術の付加的な非制約的な実施例において、上記ロック機構は、上記変形可能アームが変形するときに上記突起が上記回転軸に実質的に平行な方向に移動することを可能にするように構成される。
【００１６】
この技術の付加的な非制約的な実施例はゴルフクラブヘッドを含み、このゴルフクラブヘッドは、ホーゼルと；打撃フェースと；上記ボール打撃フェースの下側縁から後方に伸びるソールと；上記ボール打撃フェースの上側縁から後方に伸びるクラウンと；上記ソールおよび上記クラウンの間で伸びるスカートと；上記ソール、上記クラウン、および上記スカートの少なくとも１つの上に配された複数のウエイトマウントと；上記ウエイトマウントに係合するように構成された１つのウエイトリテーナとを有し；上記複数のウエイトマウントの各々はロック機構を有し；上記ウエイトリテーナは上記ロック機構と係合するように構成された係合機構を有し；上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され；上記係合機構は突起を有し；上記ロック機構は遷移部分および戻り止めを有し；上記突起は、上記ウエイトリテーナが上記ゴルフクラブヘッドにロックされるときに上記戻り止めにあるように構成される。
【００１７】
この技術の付加的な非制約的な実施例において、上記係合機構はスロットを有する。
【００１８】
この技術の付加的な非制約的な実施例において、上記スロットは上記ウエイトマウントの内側壁内に形成される。
【００１９】
この技術の付加的な非制約的な実施例において、上記係合機構はさらに変形可能アームを有し、上記変形可能アームは、上記突起が上記ロック機構の上記遷移部分に沿って滑るときに変形するように構成され、上記変形可能アームは上記突起を上記戻り止めの中へと押圧する。
【００２０】
この技術の付加的な非制約的な実施例において、上記係合機構は、上記変形可能アームが変形するときに上記回転軸と実質的に直角な方向に上記突起を移動させることが可能なように構成される。
【００２１】
この技術の付加的な非制約的な実施例において、上記ウエイトマウントおよび上記ウエイトリテーナの間に位置づけられるバネをさらに有する。
【００２２】
この技術の付加的な非制約的な実施例において、上記ウエイトリテーナはウエイト部材を収容するように構成された空洞を有する。
【００２３】
この技術の付加的な非制約的な実施例はゴルフクラブヘッドを含み、このゴルフクラブヘッドは、ホーゼルと；打撃フェースと；上記ボール打撃フェースの下側縁から後方に伸びるソールと；上記ボール打撃フェースの上側縁から後方に伸びるクラウンと；上記ソールおよび上記クラウンの間で伸びるスカートと；上記ソール、上記クラウン、および上記スカートの少なくとも１つの上に配された複数のウエイトマウントと；上記ウエイトマウントに係合するように構成された１つのウエイトリテーナとを有し；上記複数のウエイトマウントの各々はロック機構を有し；上記ウエイトリテーナは上記ロック機構と係合するように構成された係合機構を有し；上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され；上記係合機構は戻り止めを有し；上記ロック機構は突起および遷移部分を有し；上記突起は、上記ウエイトリテーナが上記ゴルフクラブヘッドにロックされるときに上記戻り止めにあるように構成される。
【００２４】
この技術の付加的な非制約的な実施例において、上記ウエイトマウントは天井部を有し、上記天井部は、上記ゴルフクラブヘッドの外側表面と実質的に面一であり、上記天井部は上記ウエイトリテーナをロック解除位置で収容するように構成されている。
【００２５】
この技術の付加的な非制約的な実施例において、上記天井部は上記ウエイトリテーナをロック解除位置で収容するように構成されている。
【００２６】
この技術の付加的な非制約的な実施例において、さらにバネを有し、上記バネは、上記ウエイトリテーナを上記ウエイトマウントの上記天井部に押しつけるように構成されている。
【００２７】
この技術の付加的な非制約的な実施例において、上記バネはドーム形状である。
【００２８】
この技術の付加的な非制約的な実施例において、上記ウエイトリテーナは上記ウエイト部材と一体に形成される。
【００２９】
添付図面は明細書の一部を形成し、これとの関係で理解されるべきである。ただし、図示の実施例は、単に事例であり、制約的であることを意図していない。種々の図において同様な参照番号および表示は同様の要素を示す。
【図面の簡単な説明】
【００３０】
【図１】図１は、ゴルフクラブヘッドの斜視図を示す。
【図２】図２は図１のゴルフクラブヘッドの底部の斜視図を示す。
【図３】図３は、ウエイトマウントに収容された複数のウエイト部材を含む、ゴルフクラブヘッドの底部の斜視図を示す。
【図４】図４は、ウエイトマウントに収容された複数のウエイト部材を含む付加的な実施例のゴルフクラブヘッドの底部の斜視図を示す。
【図５】図５は、ウエイトマウントにロックされたウエイトリテーナの１実施例の斜視図を示す。
【図６】図６は、図５の実施例のウエイトマウントの斜視図を示す。
【図７】図７は、図５のウエイトリテーナの斜視図を示す。
【図８】図８は、図５のウエイトリテーナの平面図を示す。
【図９】図９は、ウエイトリテーナおよびバネの１実施例の斜視図を示す。
【図１０】図１０は、ウエイトマウントの１実施例の斜視図を示す。
【図１１】図１１はウエイトマウントの付加的な実施例の斜視図を示す。
【図１２】図１２は図１１のウエイトマウントの付加的な斜視図を示す。
【図１３】図１３はウエイトリテーナの付加的な実施例の斜視図を示す。
【図１４】図１４は、ウエイトリテーナが図１１のウエイトマウント内にロック解除位置で配置される、図１３のウエイトリテーナの平面図を示す。
【図１５】図１５は、ウエイトリテーナが図１１のウエイトマウント内にロック位置で配置される、図１３のウエイトリテーナの平面図を示す。
【図１６】図１６はバネの１実施例の斜視図を示す。
【図１７】図１７は図１６のバネの側面図を示す。
【図１８】図１８はウエイトマウントにおいてウエイトリテーナにより保持されるウエイト部材の付加的な実施例の斜視図を示す。
【図１９】図１９は、図１８に示すウエイト部材、ウエイトリテーナ、およびウエイトマウントの側面図を示す。
【図２０】図２０はウエイト部材、ウエイトリテーナ、およびウエイトマウントの付加的な実施例の斜視図を示す。
【図２１】図２１は、図２０の示すウエイト部材、ウエイトリテーナ、およびウエイトマウントの側面図を示す。
【図２２】図２０のウエイト部材およびウエイトリテーナの斜視図を示す。
【図２３】図２０のウエイトマウントの斜視図を示す。
【図２４】図２４はウエイトマウント中にロックされるウエイトリテーナの付加的な実施例に外側斜視図を示す。
【図２５】図２５は、図２４のウエイトリテーナおよびウエイトマウントの内側斜視図を示す。
【図２６】図２６は図２４のウエイトリテーナの斜視図を示す。
【図２７】図２７は図２４のウエイトマウントの内側斜視図を示す。
【図２８】図２８は図２４のウエイトマウントの外部平面図を示す。
【図２９】図２９は図２４のウエイトリテーナの側面図を示す。
【図３０】図３０は図２４のウエイトマウント中にロックされているウエイトリテーナの断面図を示す。
【図３１】図３１は、ウエイトマウント中にロックされたウエイト部材の他の実施例の平面図を示す。
【図３２】図３２は、ウエイトマウント中にロックされるウエイト部材の付加的な実施例の平面図を示す。
【発明を実施するための形態】
【００３１】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この発明の特徴の変更例および他の修正、並びに、ここで説明される、この発明の原理をさらなる応用は、この開示内容を元に当業者にもたらされ、この発明の範囲内であると考えられる。
【００３２】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３３】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３４】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ」）は２またはそれ以上の事項を含む。用語「実質的」（「ｓｕｂｓｔａｎｔｉａｌｌｙ」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ」）は２またはそれ以上の代替物から１つを選択することを意味し、それらリストされた要素の選択が一時にそれらリストされた代替物のうちの唯一の１つに限定されることを意図しない。
【００３５】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００３６】
この発明のゴルフクラブは好ましくは空洞の、例えばメタルウッドタイプのゴルフクラブヘッドであうけれども、任意のクラブヘッドタイプ、例えばアイアンタイプのクラブヘッドを含んで良い。ゴルフクラブヘッドは一般的にはホーゼル、打撃フェース、クラウン、ソール、およびスカートを含み、これらが結合された空洞の内部キャビティを形成する。
【００３７】
この発明のゴルフクラブヘッドは、また、クラブヘッドの一部、好ましくは、ゴルフクラブヘッドのクラウン、ソール、および／またはスカートに配された、低い外形のウエイト部材を具備する。以下に説明される実施例は、便宜上、ウエイト部材が少なくとも部分的にソールに結合されるように説明される。図１は、ゴルフクラブヘッド１０の斜視図を示す。図２はゴルフクラブヘッド１０の底部の斜視図を示す。クラブヘッド１０は、ソール１２、クラウン１４、打撃フェース１６、スカート１８、およびホーゼル２０を含む。ソール１２は、全般的には、クラブヘッドがアドレス位置に配置されたときに、ゴルフクラブヘッド１０の下側表面を形成する。図３は、ウエイトマウント２４に収容された複数のウエイト部材２１を含む、ゴルフクラブヘッド１０の底部の斜視図を示す。図４は、ウエイトマウント２４に収容された複数のウエイト部材２１を含む付加的な実施例のゴルフクラブヘッド１０の底部の斜視図を示す。
【００３８】
ここに説明される実施例は、ウエイト部材がソールに少なくとも部分的に結合されるように便宜的に全般的には説明される。しかしながら、当業者が理解するように、説明のものと同一の構造を有する、ウエイトマウント、ウエイト部材、およびウエイトリテーナがゴルフクラブヘッドの任意の部分、例えば、クラウンおよび／またはスカートに位置づけられて良い。さらに、ウエイトマウントは、便宜上、ゴルフクラブヘッドと別体のものとして示されている。しかしながら、当業者が理解するように、ここで説明されるウエイトマウントはゴルフクラブヘッドに永久的に固着され、または、ゴルフクラブヘッドと一体に形成されるように意図されて良い。
【００３９】
この発明のゴルフクラブヘッド１０は、取り外し可能なウエイト部材２１を含み、このウエイト部材２１は、当該ウエイト部材２１を付加したり、取り外したり、異なる重量のウエイト部材２１と交換したときにゴルフクラブヘッド１０の重心（Ｃ．Ｇ．）の位置を変更するように構成される。ウエイト部材２１は、ウエイトマウント２４に保持され、このウエイトマウント２４は、ウエイト部材２１をゴルフクラブヘッド１０に結合するように構成される。ゴルフクラブヘッド１０は、好ましくは、複数のウエイトマウント２４を含む。いくつかの実施例において、Ｃ．Ｇ．は、ゴルフクラブヘッド１０上の１または複数のウエイト部材２１を、ゴルフクラブヘッド１０上の他のウエイト部材２１と交換することにより操作できる。他の実施例において、単一のウエイト部材２１を１つのウエイトマウント２４から他のウエイトマウント２４に移動させて良い。付加的な実施例において、１または複数のウエイト部材２１を異なる質量の異なるウエイト部材２１と交換して良い。
【００４０】
迅速かつ容易にＣ．Ｇ．を調整する能力は一般的に好ましい。ウエイト部材およびウエイトマウントのこの発明のいくつかの実施例はここに説明され、これは、ユーザが、ウエイト部材をウエイトマウントから迅速かつ容易に取り外し、かつ装着させることを可能にする。さらに、ウエイトマウントは、ゴルフクラブヘッドがゴルフボールを打撃したときに、ウエイト部材がゴルフクラブヘッドに対してどのようなガタつき、振動、または緩みを伴うことなく、ウエイト部材を保持しなければならない。伝統的には、ウエイト部材は雄および雌ネジ山の組み合わせによって保持される。ウエイト部材がウエイトマウントに対して複数回、回転させられてゴルフクラブヘッドの部分に底打ちし、雄ネジ山が雌ネジ山に対して荷重を掛けるときネジ山は締まり、ウエイト部材を固定する。しかしながら、これは、ウエイト部材をウエイトマウントに対して複数回だけ回転させる必要がある。さらに、ネジ山はクロススレッドの問題を加え、ウエイト部材をウエイトマウントから取り外し、または取り付ける性能を台無しにしてしまう。ここで説明されるウエイト部材、ウエイトマウント、およびウエイトリテーナは、ウエイトリテーナのゴルフクラブヘッドに対する１回転、またはそれ以下の回転で、すなわち、３６０度またはそれ以下の回転で、ゴルフクラブヘッドにロックされるように構成され、より好ましくは１８０度またはそれ以下、最も好ましくは９０度またはそれ以下の回転でロックされるように構成される。
【００４１】
いくつかの実施例は、ここでは、ある種のバネ力または締め付け部材を用いてウエイト部材をウエイトマウントに対してロックする。実施例のうちのいくつかは、ウエイト部材をウエイトマウントにその場でロックするための回転の軸と実質的に平行な力を加えるバネを用いる。他の実施例は、ウエイト部材をその場にロックさせるためのウエイトリテーナの回転の軸と実質的に直角な力を加えるバネを用いる。
【００４２】
ウエイト部材およびウエイトリテーナの双方がここで検討される。いくつかの実施例において、ウエイト部材は全般的にはゴルフクラブヘッドの全体重量を変更し、ゴルフクラブヘッドのＣＧを移動させ、またゴルフクラブヘッドのＭＯＩを変化させるために使用される。いくつかの実施例において、ウエイトリテーナはウエイト部材に固着され、またはウエイト部材と一体に形成されて良い。他の実施例において、ウエイトリテーナはウエイト部材と別体とされて良い。用語「ウエイトリテーナ」は、ここで使用されるときには、ウエイト部材を保持するためにウエイト部材と別体に形成されて別体で動作するウエイトリテーナ、並びに、ウエイトリテーナと一体に形成されたウエイト部材の双方を説明するために使用されて良く、後者が本来的な定義である。説明される具体的な実施例がウエイトリテーナから分離している部材としてウエイト部材を含むならば、この記述および特許請求の範囲はとくにウエイト部材を指す。
【００４３】
図５は、ウエイトマウント１２４にロックされたウエイトリテーナ１２２の１実施例の斜視図を示す。図６は、図５の実施例のウエイトマウント１２４の斜視図を示す。図７は、図５のウエイトリテーナ１２２の斜視図を示す。図８は、図５のウエイトリテーナ１２２の平面図を示す。ウエイトリテーナ１２２はツール受容機構１２６を含む。ユーザはツールをツール受容機構１２６に差し込んでウエイトリテーナ１２２にトルクを加え、ウエイトマウント１２４に対してこれを回転させてウエイトリテーナ１２２をゴルフクラブヘッドに対してロックまたはロック解除することができる。ウエイトマウント１２４はウエイトリテーナ１２２を収容するように構成された実質的に円筒形のキャビティを含み、内側壁１２８を含む。ウエイトマウント１２４はウエイトリテーナ１２２をその場にロックするよう構成されたロック機構１３０を含む。図６に示すように、ロック機構は、ウエイトリテーナ１２２の一部を収容するように構成されたスロット１３０であって良い。スロット１３０は、ウエイトマウント１２４の内側壁１２８中に形成されている。いくつかの実施例において、ウエイトリテーナ１２２はウエイト部材１２１と一体に形成される。いくつかの実施例において、ウエイトリテーナ１２２がその内部にキャビティを含んで良く、個別のウエイト部材１２１を収容する。
【００４４】
ウエイトリテーナ１２２は、ウエイトマウントのロック機構１３０と係合してウエイトリテーナ１２２をゴルフクラブヘッドにロックするように構成された少なくとも１つの係合機構１４０を含んで良い。図７および図８に示すように、係合機構１４０は変形アーム１４２および突起１４４を含んで良い。変形アーム１４２は、突起１４４がウエイトリテーナ１２２の回転軸と実質的に直角な方向に偏向できるように構成される。突起１４４はウエイトマウントのロック機構と係合するように構成される。突起１４４は図７および図８に示すように実質的に球状の形状であって良い。
【００４５】
スロット１３０は、空洞部分１３１、遷移部分１３２、および戻り止め１３３を含んで良い。スロット１３０は、ウエイトリテーナ１２２がウエイトマウント１２４に対して回転させられるときにウエイトリテーナ１２２の変形アーム１４２を偏向するように構成される。空洞部分１３１は、ウエイトリテーナ１２２がゴルフクラブヘッドに差し込まれるときに、ウエイトリテーナ１２２の係合機構１４０を収容するように構成されている。遷移部分１３２は、ウエイトリテーナ１２２が回転させられるときに、ウエイトリテーナ１２２の変形アーム１４２を変形させるように構成される。戻り止め１３３は係合機構１４０の突起１４４を収容するように構成されている。図６に示すように、ウエイトマウント１２４の内側壁１２８ウエイトリテーナ１２２の回転軸１２３からの半径Ｒ１を有する。さらに、スロット１３０の空洞部分１３１は実効半径Ｒ２を有する。実効半径は、回転軸１２３から、ウエイトリテーナの係合機構１４０と接触してこれを偏向させるスロットの部分までの距離として定義される。半径Ｒ２はＲ１より大きく、これは、ウエイトリテーナ１２２をウエイトマウント１２４に差し込んだ時に、ウエイトリテーナの係合機構１４０に力を加えて、スロット１３０に追随するようになす。遷移部分１３２は実効半径Ｒ３を有し、これは、初めは、実質的に半径Ｒ２と同様であり、遷移部分１３２が戻り止め１３３に近づくときにその長さが減少する。そして、戻り止めは、当該戻り止めの近くの半径Ｒ３より大きな実効半径Ｒ４を有する。上述のスロット幾何形状によってウエイトリテーナ１２２の係合機構１４０が第１の方向（図６に示すように時計回り方向）に回転し、突起１４４が遷移部分１３２に沿って滑る。突起が滑り止め１３３に到達すると、偏向されたことにより、係合機構１４０に蓄えられたエネルギーが、突起１４４を戻り止め１３３へと押し込み、ウエイトリテーナ１２２がウエイトマウント１２４およびゴルフクラブヘッドにロックされる。ウエイトリテーナ１２２をロック解除してゴルフクラブヘッドから取り外すために、ユーザは、第１の方向と逆の第２の方向（図６に示されるように反時計回り方向）に、ウエイトリテーナ１２２にトルクを加えなければならない。トルクは、ウエイトリテーナ１２２の係合機構１４０を偏向させるのに十分なだけ大きくなければならず、これによって、ウエイトリテーナ１２２をウエイトマウント１２４に対して回転させるときに、突起１３３が戻り止めから外れ、遷移部分１３２を抜けて滑り出る。スロット１３０の変化する実効半径Ｒ２、Ｒ３、およびＲ４に加えて、スロット１３０の少なくとも一部を曲げることにより、スロット１３０は第１の方向に回転させられるときに、ウエイトリテーナ１２２をゴルフクラブヘッドへと駆動し、これは図６に示すとおりである。
【００４６】
図５〜図８に示す実施例のように、回転軸と実質的に直角に働くバネ力を利用するのではなく、以下の多くの実施例は、全般的には、回転軸と実質的に平行に働くバネ力を利用する。図９は、ウエイトリテーナ２２２およびバネ２５０の１実施例の斜視図を示す。図１０は、ウエイトマウント２２４の１実施例の斜視図を示す。ウエイトリテーナ２２２は、ウエイトマウント２２４と計上してウエイトリテーナ２２２をゴルフクラブヘッドにロックするように構成された少なくとも１つの係合機構２４０を含む。図９に示すように、係合機構は突起２４４であって良い。ウエイトマウント２２４は、ウエイトリテーナ２２２を収容するように構成された実質的に円筒形状の空洞を含み、また内側壁２２８を含む。ウエイトマウント２２４はウエイトリテーナ２２２をその場にロックするように構成されたロック機構２３０を含む。図１０に示すように、ロック機構２３０は、ウエイトリテーナ２２２の一部を収容するように構成されたスロット２３０であって良い。スロット２３０は、空洞部分２３１、遷移部分２３２、および戻り止め２３３を含んで良い。空洞部分２３１は、ウエイトリテーナ２２２がゴルフクラブヘッドに差し込まれるときに、ウエイトリテーナ２２の係合機構２４０を収容するように構成されている。遷移部分２３２は、ウエイトリテーナ２２２が回転させられるときに、係合機構２４０およびウエイトリテーナ２２２をゴルフクラブヘッドへと押し付けるように構成される。バネ２５０は、これが、ウエイトリテーナ２２２と別体に形成されるならば、ウエイトリテーナ２２２またはウエイト部材と、ゴルフクラブヘッドとの間に位置決めされるように構成され、ウエイトリテーナ２２２をゴルフクラブヘッドから離間させるように力を加える。スロットの遷移部分２３２は、回転軸に対して角度づけられ、もって、ユーザがウエイトリテーナ２２２を第１の方向に回転するときに加えるトルクにより、スロット２３０の角度との組み合わせで、ウエイトリテーナがバネ２５０を圧縮させる。戻り止め２３３は、係合機構２４０の突起を収容し、もって、係合機構２４０がスロット２３０の遷移部分２３２の端部を通過するとウエイトリテーナ２２２をその場にロックして、バネ２５０が係合機構２４０を戻り止め２３３へと力印加するように構成されている。
【００４７】
図１１はウエイトマウント３２４の付加的な実施例の斜視図を示す。図１２は図１１のウエイトマウント３２４の付加的な斜視図を示す。図１３はウエイトリテーナ３２２の付加的な実施例の斜視図を示す。図１４は図１３のウエイトリテーナ３２２の平面図を示し、ウエイトリテーナ３２２は図１１のウエイトマウント３２４内にロック解除位置で配置される。図１５は図１３のウエイトリテーナ３２２の平面図を示し、ウエイトリテーナ３２２は図１１のウエイトマウント３２４内にロック位置で配置される。図１６はバネ３５０の１実施例の斜視図を示す。図１７は図１６のバネ３５０の側面図を示す。
【００４８】
ウエイトマウント３２４は天井部３７０を含み、これには開口３６０が形成されている。開口３６０はウエイトリテーナ３２２を収容するように構成されている。ウエイトマウント３２４は、すくなくとも１つのロック機構３３０を含む。ロック機構３３０は図１１および図１２に示すような天井部３７０の内部から伸びる突起であって良い。突起３３０は端部に遷移部分３３２を含んで良く、これはウエイトリテーナ３２２の回転軸に対して曲げられている。ウエイトリテーナ３２２は、ウエイトマウント３２４のロック機構３３０と係合するように構成された少なくとも１つの係合機構３４０を含んで良い。係合機構３４０は図１３に示す戻り止め３４０であって良い。戻り止め３４０は、また、突起３３０の遷移部分３３２と対応するようにテーパー付けされて良い。さらに、突起３３０および戻り止め３４０はガタツキや振動を最小化するように適合化された楔を構成して良い。バネ３５０は、例えば、図１６および図１７に示されるようなものであり、ウエイトマウント３２４の内部に位置決めされて良く、ウエイトリテーナ３２２をゴルフクラブヘッドから遠ざけるように力を加える。ウエイトマウント３２４は、便宜上、床部を有しないように示されているけれども、バネは好ましくはウエイトマウント３２４の床部に対面するように位置づけられ、この床部は天井部３７０の反対側にある。いくつかの実施例において、天井部３７０はソールのようなゴルフクラブヘッドの外部表面と面一になっていて良い。他の実施例において、天井部３７０はゴルフクラブヘッドの外部表面から立ち上がっていて良い。さらに他の実施例において、天井部３７０は外部表面に対してゴルフクラブヘッドの内部へとへこんでいて良い。
【００４９】
ウエイトリテーナ３２２は図１４に示すようにロック解除の位置で開口３６０を通じてウエイトマウント３２４の内部へと挿入できる。ちつぎに、ウエイトリテーナ３２２はウエイトマウント３２４に対して回転させることができる。ウエイトリテーナ３２２が突起３３０の遷移部分３３２に接触するときに、突起３３０は、ウエイトリテーナ３２２が図１５に示すようなロック位置に至るまで、ウエイトリテーナ３２２をバネ３５０に抗してゴルフクラブヘッド側に押し、このロック位置では、突起３３０がウエイトリテーナ３２２の係合機構３４０と係合でき、もって、突起３３０が戻り止め３４０に入り込むときに、ウエイトリテーナ３２２がゴルフクラブヘッドから離間するように動くことができ、バネがウエイトリテーナ３２２を天井部３７０に押入れ、ウエイトリテーナ３２２をその場所にロックする。
【００５０】
図１６および図１７に示すバネ３５０は、図９に示されるような、慣用的な圧縮バネと異なる。バネ３５０は少なくとも部分的にドーム形状であり、図１６および図１７に示すような溝を含んで良い。ドーム部分は、ウエイトリテーナ３２２によって力が印加されるときに変形して良く、バネ３５０はウエイトリテーナ３２２に抗する力を印可する。
【００５１】
図１８はウエイトマウント４２４においてウエイトリテーナ４２２により保持されるウエイト部材４２１の付加的な実施例の斜視図を示す。図１９は、図１８に示すウエイト部材４２１、ウエイトリテーナ４２２、およびウエイトマウント４２４の側面図を示す。この実施例において、ウエイト部材４２１はウエイトリテーナ４２２と別の部品であって良く、またこれらは相互に固着されていて良い。ウエイトマウントは、ウエイトリテーナ４２２をその場所にロックするように構成されたロック機構４３０を含む。図１８および図１９に示すように、ロック機構は、ウエイトリテーナ４２２の一部を収容するように構成されたスロット４３０であって良い。スロット４３０はウエイトマウント４２４の外側壁４２９中へと形成される。
【００５２】
ウエイトリテーナは、ウエイトマウント４２４のロック機構４３０を係合し、ウエイトリテーナ４２２をウエイトマウント４２４にロックするように構成された少なくとも１つの係合機構４４０を含んで良い。図１８および図１９に示すように、係合機構４４０は変形可能アーム４４２および突起４４４を含んで良い。変形可能アーム４４２は、ウエイトリテーナ４２２の回転軸に実質的に平行な方向に突起が移動できるように変形するように構成されている。突起４４４は、ウエイトマウントのロック機構４３０と係合するように構成されている。
【００５３】
スロット４３０は、入口部分４３１、遷移部分４３２、および戻り止め４３３を含んで良い。スロット４３０は、ウエイトリテーナ４２２がウエイトマウント４２４に対して回転させられるとき、ウエイトリテーナ４２２の変形可能アーム４４２を変形させるように構成されている。入口部分４３１は、ウエイトリテーナ４２２がゴルフクラブヘッドに取り付けられるときに、ウエイトリテーナ４２２の係合機構４４０を収容するように構成されている。遷移部分４３２は、ウエイトリテーナ４２２が回転させられるときに、ウエイトリテーナ４２２の変形可能アーム４４２を変形するように構成されている。戻り止め４３３は係合機構４４０の突起４４４を収容するように構成されている。図１８および図１９に示すように、遷移部分４３２は、スロット４３０のウエイトマウント４２４の外側端からの、ウエイトリテーナ４２２の回転軸と平行な方向の距離が、入口部分４３１から戻り止め４３３までの長さ方向に沿って増大するように、構成されている。ウエイトリテーナ４２２が第１の方向に回転させられるときに、変形可能アーム４４２は力を受け、変形される。そして、戻り止めはウエイトマウント４２４の外側端からのスロット４３０の距離を減少させる。突起４４４が戻り止め４３３に入り込むと、変形可能アーム４４２が突起４４４を戻り止め４３３に押し込み、ウエイトリテーナ４２２をロックし、もって、ウエイト部材４２１をその間にロックする。
【００５４】
図２０はウエイト部材５２１、ウエイトリテーナ５２２、およびウエイトマウント５２４の付加的な実施例の斜視図を示す。図２１は、図２０の示すウエイト部材５２１、ウエイトリテーナ５２２、およびウエイトマウント５２４の側面図を示す。この実施例において、他の実施例において示すように変形可能アームをウエイトリテーナに一体化させるのではなく、変形可能アーム５３２はウエイトマウント５２４に一体化させられている。ウエイトリテーナはウエイトマウント５２４のロック機構５３０と係合してウエイトリテーナ５２２をウエイトマウント５２４にロックするように構成された係合機構５４０を含む。係合機構５４０は、ランプ５４０であって良く、このランプ５４０は入口部分５４１、遷移部分５４２、および戻り止め５４３を含む。ウエイトマウント５２４は、ウエイトリテーナ５２２の係合機構５４０と係合するように構成されたロック機構５３０を含む。ロック機構５３０は変形可能アーム５３２および突起５３４を含んで良い。ウエイト部材５２１およびウエイトリテーナ５２２が第１の方向に回転させられるときに、ロック機構がランプ５４０の入口部分５４１に入り、この後、突起５３４がゴルフクラブヘッドから遠ざかりウエイト部材５２１に向かうようにランプ５４０の遷移部分５４２の傾斜により力をうけるときに、変形可能アーム５３２は、変形し始め、これは、突起５３４が遷移部分５４２の端部に到達し、変形可能アーム５３２のバネ力により戻り止め５４３に押し込められ、ウエイトリテーナ５２２およびウエイト部材５２１をロックするまで続き、これは図２０および図２１に示す。
【００５５】
図２４はウエイトマウント６２４中にロックされるウエイトリテーナ６２２の付加的な実施例に外側斜視図を示す。図２５は、図２４のウエイトリテーナ６２２およびウエイトマウント６２４の内側斜視図を示す。図２６は図２４のウエイトリテーナ６２２の斜視図を示す。図２７は図２４のウエイトマウント６２４の内側斜視図を示す。図２８は図２４のウエイトマウント６２４の外部平面図を示す。図２９は図２４のウエイトリテーナ６２２の側面図を示す。図３０は図２４のウエイトマウント６２４中にロックされているウエイトリテーナ６２２の断面図を示す。ここで示されるウエイトリテーナ６２２はウエイト部材を一体に含んで良い。
【００５６】
図２４〜図３０のウエイトリテーナ６２２およびウエイトマウント６２４は、図２０〜図２３のウエイトリテーナ５２２およびウエイトマウント５２４といくつかの共通点を有する。ウエイトリテーナ６２２は少なくとも１つの係合機構６４０を含む。係合機構６４０は図２６に示すようなランプ６４０であって良い。ランプ６４０は入口部分６４１、遷移部分６４２、および戻り止め６４３を含んで良い。
【００５７】
ウエイトマウント６２４は、ウエイトリテーナ６２２の係合機構６４０と係合してウエイトリテーナ６２２をウエイトマウント６２４にロックするように構成された少なくとも１つのロック機構６３０を含む。ロック機構６３０は変形可能アーム６３２および突起６３４を含む。突起６３４は、内側方向に、ウエイトリテーナ６２２の回転軸に向かって、当該回転軸と実質的に直角な方向に伸び、これは図２０〜図２３の突起５３４と逆であり、突起５３４はクラブヘッドに向かって回転軸と実質的に平行は方向に伸びる。図２０〜図２３の変形可能アーム５３２と同様に、変形可能アーム６３２は変形して、もって、突起６３４が回転軸と実質的に平行な方向に移動可能にする。
【００５８】
ランプ６４０の入口部分６４１によって、突起６３４がランプ６４０の遷移部分６４２に入り込めるようになっている。ウエイトリテーナ６２２が第１の方向に回転させられるときに、突起６３４がランプの遷移部分６４２に乗り上げ、突起が遷移部分６４２の端部に到達して戻り止め６４３にスナップ力により音仕込まれるまで、変形可能アーム６３２を変形させ、ウエイトリテーナ６２２をその場所にロックする。いくつかの実施例において、ウエイトマウント６２４は、図３および図４に示すソール１２のようなゴルフクラブヘッドの外部表面と面一に一体化するように構成される外側表面６１２を含む。いくつかの実施例において、また、図２４〜図３０に示すように、ウエイトマウント６２４のロック機構６３０はすべて実質的に平坦であり、顕著に製造コストを減少させる。さらに、ウエイトマウント６２４、並びに、ここに記述される他のウエイトマウントは、便宜上、ゴルフクラブヘッドから別体のものとして示されているけれども、ゴルフクラブヘッドと一体に構成され、好ましくは、ゴルフクラブヘッドの外側表面、例えばソールと実質的に面位置に実装される。
【００５９】
図示しないけれども、他の実施例において、ウエイトリテーナ６２２は図６に示すスロットと類似のスロットを含んで良い。ただし、これはウエイトマウントに変わってウエイトリテーナ内に形成される。ロック機構６３０は図示のとおりであり、あるいは、これと実質的に類似であり、もって、ウエイトリテーナの回転軸と実質的に平行な方向に変形でき、突起が戻り止めに入り込み、ウエイトリテーナをウエイトマウントにロックする。
【００６０】
図３１は、ウエイトマウント７２４中にロックされたウエイト部材７２１の他の実施例の平面図を示す。ウエイトマウント７２４は、開口７６０および内側壁７２８を具備するので、図１１および図１２のウエイトマウントと類似である。ただし、ウエイトマウント７２４の内側壁７２８はウエイト部材７２１の回転軸からの距離が変化する。ウエイト部材７２１は開口を介してウエイトマウント７２４中へ挿入され、つぎに、ウエイト部材７２１は、ウエイトマウント７２４の内側壁７２８に接触するまで第１の方向に回転させられ、ここでウエイト部材７２１が締めつけられてその場所にロックされる。さらに、ウエイト部材７２１がウエイトマウント７２４から外れるのを、天井部７７０により阻止できる。
【００６１】
図３２は、ウエイトマウント８２４中にロックされるウエイト部材８２１の付加的な実施例の平面図を示す。ウエイトマウント８２４はウエイト部材８２１を収容するように構成された開口８６０を含む。ウエイト部材は開口８６０を介して挿入され、ウエイトマウント８２４の内側壁８２８で締めつけられるまで第１の方向に回転させられ、もってウエイト部材８２１がその場所にロックされる。さらに、ウエイト部材８２１がウエイトマウント８２４から外れるのを、天井部８７０により阻止できる。
【００６２】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【００６３】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
以下、ここで説明した技術的特徴を列挙する。
［技術的特徴１］
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は遷移部分および戻り止めを有し、
上記ロック機構は突起および変形可能アームを有し、
上記突起は、上記ウエイトリテーナが上記ゴルフクラブヘッドにロックされるときに上記戻り止めにあるように構成されることを特徴とするゴルフクラブヘッド。
［技術的特徴２］
上記係合機構はランプを有する技術的特徴１記載のゴルフクラブヘッド。
［技術的特徴３］
上記変形可能アームは、上記突起が上記係合機構の上記遷移部分に乗り上げるときに、変形するように構成され、上記変形可能アームは上記突起を上記戻り止めに押圧する技術的特徴２記載のゴルフクラブヘッド。
［技術的特徴４］
上記ウエイトマウントは上記ゴルフクラブヘッドの外側表面と実質的に面一である技術的特徴１記載のゴルフクラブヘッド。
［技術的特徴５］
上記ウエイトマウントは上記ロック機構を含み、実質的に厚さが均一である技術的特徴１記載のゴルフクラブヘッド。
［技術的特徴６］
上記ウエイトリテーナは永久的にウエイト部材に固着されている技術的特徴１記載のゴルフクラブヘッド。
［技術的特徴７］
上記ロック機構は、上記変形可能アームが変形するときに上記突起が上記回転軸に実質的に平行な方向に移動することを可能にするように構成される技術的特徴３記載のゴルフクラブヘッド。
［技術的特徴８］
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は突起を有し、
上記ロック機構は遷移部分および戻り止めを有し、
上記突起は、上記ウエイトリテーナが上記ゴルフクラブヘッドにロックされるときに上記戻り止めにあるように構成されることを特徴とするゴルフクラブヘッド。
［技術的特徴９］
上記係合機構はスロットを有する技術的特徴８記載のゴルフクラブヘッド。
［技術的特徴１０］
上記スロットは上記ウエイトマウントの内側壁内に形成される技術的特徴９記載のゴルフクラブヘッド。
［技術的特徴１１］
上記係合機構はさらに変形可能アームを有し、上記変形可能アームは、上記突起が上記ロック機構の上記遷移部分に沿って滑るときに変形するように構成され、上記変形可能アームは上記突起を上記戻り止めの中へと押圧する技術的特徴８記載のゴルフクラブヘッド。
［技術的特徴１２］
上記係合機構は、上記変形可能アームが変形するときに上記回転軸と実質的に直角な方向に上記突起を移動させることが可能なように構成される技術的特徴１１記載のゴルフクラブヘッド。
［技術的特徴１３］
上記ウエイトマウントおよび上記ウエイトリテーナの間に位置づけられるバネをさらに有する技術的特徴８記載のゴルフクラブヘッド。
［技術的特徴１４］
上記ウエイトリテーナはウエイト部材を収容するように構成された空洞を有する技術的特徴８記載のゴルフクラブヘッド。
［技術的特徴１５］
ゴルフクラブヘッドであって、
ホーゼルと、
打撃フェースと、
上記ボール打撃フェースの下側縁から後方に伸びるソールと、
上記ボール打撃フェースの上側縁から後方に伸びるクラウンと、
上記ソールおよび上記クラウンの間で伸びるスカートと、
上記ソール、上記クラウン、および上記スカートの少なくとも１つの上に配された複数のウエイトマウントと、
上記ウエイトマウントに係合するように構成された１つのウエイトリテーナとを有し、
上記複数のウエイトマウントの各々はロック機構を有し、
上記ウエイトリテーナは上記ロック機構と係合するように構成された係合機構を有し、
上記係合機構および上記ロック機構は、１つの全回転より少ない、上記ウエイトリテーナの上記ゴルフクラブヘッドに対する回転軸の周りの回転によって上記ウエイトリテーナを上記ゴルフクラブヘッドに取り外し可能にロックするように構成され、
上記係合機構は戻り止めを有し、
上記ロック機構は突起および遷移部分を有し、
上記突起は、上記ウエイトリテーナが上記ゴルフクラブヘッドにロックされるときに上記戻り止めにあるように構成されることを特徴とするゴルフクラブヘッド。
［技術的特徴１６］
上記ウエイトマウントは天井部を有し、上記天井部は、上記ゴルフクラブヘッドの外側表面と実質的に面一であるように構成されている技術的特徴１５記載のゴルフクラブヘッド。
［技術的特徴１７］
上記天井部は上記ウエイトリテーナをロック解除位置で収容するように構成されている技術的特徴１６記載のゴルフクラブヘッド。
［技術的特徴１８］
さらにバネを有し、上記バネは、上記ウエイトリテーナを上記ウエイトマウントの上記天井部に押しつけるように構成されている技術的特徴１７記載のゴルフクラブヘッド。
［技術的特徴１９］
上記バネはドーム形状である技術的特徴１８記載のゴルフクラブヘッド。
［技術的特徴２０］
上記ウエイトリテーナは上記ウエイト部材と一体に形成される技術的特徴１５記載のゴルフクラブヘッド。
【符号の説明】
【００６４】
１０    ゴルフクラブヘッド
１２    ソール
１４    クラウン
１６    打撃フェース
１８    スカート
２０    ホーゼル
２１    ウエイト部材
２２    ウエイトリテーナ
２４    ウエイトマウント
１２１    ウエイト部材
１２２    ウエイトリテーナ
１２３    回転軸
１２４    ウエイトマウント
１２６    ツール受容機構
１２８    内側壁
１３０    ロック機構（スロット）
１３１    空洞部分
１３２    遷移部分
１３３    戻り止め
１４０    係合機構
１４２    変形アーム
１４４    突起
２２２    ウエイトリテーナ
２２４    ウエイトマウント
２２８    内側壁
２３０    ロック機構（スロット）
２３１    空洞部分
２３２    遷移部分
２３３    戻り止め
２４０    係合機構
２４４    突起
２５０    バネ
３２２    ウエイトリテーナ
３２４    ウエイトマウント
３３０    ロック機構（突起）
３３２    遷移部分
３４０    係合機構（戻り止め）
３５０    バネ
３６０    開口
３７０    天井部
４２１    ウエイト部材
４２２    ウエイトリテーナ
４２４    ウエイトマウント
４２９    外側壁
４３０    ロック機構（スロット）
４３１    入口部分
４３２    遷移部分
４３３    戻り止め
４４０    係合機構
４４２    変形可能アーム
４４４    突起
５２１    ウエイト部材
５２２    ウエイトリテーナ
５２４    ウエイトマウント
５３０    ロック機構
５３２    変形可能アーム
５３４    突起
５４０    係合機構（ランプ）
５４１    入口部分
５４２    遷移部分
５４３    戻り止め
６１２    外側表面
６２２    ウエイトリテーナ
６２４    ウエイトマウント
６３０    ロック機構
６３２    変形可能アーム
６３４    突起
６４０    係合機構（ランプ）
６４１    入口部分
６４２    遷移部分
６４３    戻り止め
７２１    ウエイト部材
７２４    ウエイトマウント
７２８    内側壁
７６０    開口
７７０    天井部
８２１    ウエイト部材
８２４    ウエイトマウント
８２８    内側壁
８６０    開口
８７０    天井部
【図１】
0006345748.tif 000002
【図２】
0006345748.tif 000003
【図３】
0006345748.tif 000004
【図４】
0006345748.tif 000005
【図５】
0006345748.tif 000006
【図６】
0006345748.tif 000007
【図７】
0006345748.tif 000008
【図８】
0006345748.tif 000009
【図９】
0006345748.tif 000010
【図１０】
0006345748.tif 000011
【図１１】
0006345748.tif 000012
【図１２】
0006345748.tif 000013
【図１３】
0006345748.tif 000014
【図１４】
0006345748.tif 000015
【図１５】
0006345748.tif 000016
【図１６】
0006345748.tif 000017
【図１７】
0006345748.tif 000018
【図１８】
0006345748.tif 000019
【図１９】
0006345748.tif 000020
【図２０】
0006345748.tif 000021
【図２１】
0006345748.tif 000022
【図２２】
0006345748.tif 000023
【図２３】
0006345748.tif 000024
【図２４】
0006345748.tif 000025
【図２５】
0006345748.tif 000026
【図２６】
0006345748.tif 000027
【図２７】
0006345748.tif 000028
【図２８】
0006345748.tif 000029
【図２９】
0006345748.tif 000030
【図３０】
0006345748.tif 000031
【図３１】
0006345748.tif 000032
【図３２】
0006345748.tif 000033